(57)【要約】【課題】　匂いにより各種情報を識別することが可能である香料入り塗料及び皮張り防止剤並びに塗料組成物貯蔵容器を提供する。【解決手段】　塗料に香料を添加させ、塗料に匂いの識別表示機能を備えた塗料であり、前記香料が塗料供給者若しくは塗料を塗装する施工者の識別表示又は、塗料塗布物の所有者又は利用者が識別することができるものである。　また、塗料組成物貯蔵容器内に容器下部から塗料主材層と、皮張り防止層とが積層されている塗料組成物貯蔵容器において、その皮張り防止層が塗料供給者又は塗料を塗装する施工業者の識別表示となる香料を含む皮張り防止層である。　塗料組成物貯蔵容器内の塗料層外又は塗料組成物貯蔵容器外に、塗料供給者又は塗料を塗装する施工者の識別表示となる香料により、匂いを付けた塗料組成物貯蔵容器である。【選択図】　　なし【特許請求の範囲】
【請求項１】
塗料に香料を添加させ、塗料に匂いの識別表示機能を備えたことを特徴とする香料入り塗料。
【請求項２】
前記香料が塗料供給者又は塗料を塗装する施工者の識別表示となるものであることを特徴とする請求項１に記載の香料入り塗料。
【請求項３】
前記香料が塗料塗布物の所有者又は利用者が識別することができるものであることを特徴とする請求項１に記載の香料入り塗料。
【請求項４】
前記塗料が合成樹脂エマルションを結合材とすることを特徴とする請求項１ないし請求項３のいずれかに記載の香料入り塗料。
【請求項５】
塗料組成物貯蔵容器内に容器下部から塗料主材層と、皮張り防止層とが積層されている塗料組成物貯蔵容器において、その皮張り防止層が塗料供給者又は塗料を塗装する施工業者の識別表示となる香料を含むことを特徴とする皮張り防止層。
【請求項６】
塗料組成物貯蔵容器内に容器下部から塗料主材層と、皮張り防止層とが積層されている塗料組成物貯蔵容器において、その皮張り防止層が塗料塗布物の所有者又は利用者が識別できる香料を含むことを特徴とする皮張り防止層。
【請求項７】
塗料組成物貯蔵容器内に塗料供給者、塗料を塗装する施工業者、塗料塗布物の所有者又は利用者の識別表示となる香料又は識別することができる香料により、匂いを付けたことを特徴とする塗料組成物貯蔵容器。
【請求項８】
塗料組成物貯蔵容器内の塗料層外又は塗料組成物貯蔵容器外に、塗料供給者又は塗料を塗装する施工者の識別表示となる香料により、匂いを付けたことを特徴とする塗料組成物貯蔵容器。
【発明の詳細な説明】
【技術分野】
【０００１】
　この発明は、建造物などの内外壁、天井などの塗装に用いられる塗料において、識別表示又は識別できる香料を選択し、塗料、皮張り防止剤又は塗料組成物貯蔵容器に匂いを付けた香料入り塗料及び皮張り防止剤並びに塗料組成物貯蔵容器に関するものである。
【背景技術】
【０００２】
　従来、建造物などの内外壁、天井などの塗装に用いられる塗料には、溶媒として用いられるシンナー、塗料に含有している高沸点溶剤、各種添加剤又は、塗料の主成分とする合成樹脂により塗料には、さまざまな不快を感じさせる匂いがあり、塗料組成物貯蔵容器の開封時、塗装時及び塗膜乾燥時にその不快を感じさせる匂いが、塗装工事現場及びその周辺に広がり、塗装作業者及び近隣の人たちに、不快感を感じさせることが多い。
【０００３】
　また、塗料の溶媒による匂いの違いはあるものの溶媒の種類が同じ各種塗料により匂いの違いはほとんど無く、製造者の違いによる匂いの違いもほとんど無く、どの塗料も匂いによる違いはほとんど無く、不快な匂いがするものである。
【０００４】
　そのため、不快を感じさせる匂いを抑制した低臭塗料を用いる場合がある。この低臭塗料は、不快を感じさせる匂いが少ない高沸点溶剤、各種添加剤、合成樹脂を用いることにより得ることができる。また、塗料に脱臭剤又は消臭剤を添加又は含有させることにより、不快を感じさせる匂いを少なくさせた低臭塗料がある。
【発明の開示】
【発明が解決しようとする課題】
【０００５】
　ところが、前記低臭塗料は、不快を感じさせる匂いが少ないだけであって、無臭ではなく、匂いの強度の違い程度のものである。また、どの塗料であっても、匂いの違いがあまり無いため、その塗料の匂いにより製造者などの各種情報を識別することは困難である。
【０００６】
　また、塗料の溶媒による匂いの違いはあるものの溶媒の種類が同じ各種塗料による匂いの違いはほとんど無く、製造者の違いによる匂いの違いもほとんど無く、どの塗料も匂いによる違いはほとんど無く、不快な匂いがするものである。
【０００７】
　この発明は、上記のような従来技術に存在する問題点に着目してなされたものである。その目的とするところは、塗料の匂いにより各種情報を識別することが可能であり、また、その匂いが塗料供給者又は塗料を塗装する施工者を識別表示することができるものであり、また、塗料塗布物の所有者又は利用者が識別することができるものである。さらに、塗料の不快な匂いを低減させることができる香料入り塗料及び皮張り防止剤並びに塗料組成物貯蔵容器を提供することにある。
【課題を解決するための手段】
【０００８】
　上記の目的を達成するために、請求項１に記載の発明の塗料は、塗料に香料を添加させ、塗料に匂いの識別表示機能を備えたものである。
　請求項２に記載の発明の塗料は、前記香料が塗料供給者又は塗料を塗装する施工者の識別表示となるものである
【０００９】
　請求項３に記載の発明の塗料は、前記香料が塗料塗布物の所有者又は利用者が識別することができるものである。
　請求項４に記載の発明の塗料は、請求項１ないし請求項３のいずれかに記載の発明において、前記塗料が合成樹脂エマルションを結合材とするものである。
【００１０】
　請求項５に記載の発明の皮張り防止層は、塗料組成物貯蔵容器内に容器下部から塗料主材層と、皮張り防止層とが積層されている塗料組成物貯蔵容器において、その皮張り防止層が塗料供給者又は塗料を塗装する施工業者の識別表示となる香料を含むものである。
【００１１】
　請求項６に記載の発明の皮張り防止層は、塗料組成物貯蔵容器内に容器下部から塗料主材層と、皮張り防止層とが積層されている塗料組成物貯蔵容器において、その皮張り防止層が塗料塗布物の所有者又は利用者が識別できる香料を含むものである。
【００１２】
　請求項７に記載の発明の塗料組成物貯蔵容器は、塗料組成物貯蔵容器内に塗料供給者、塗料を塗装する施工業者、塗料塗布物の所有者又は利用者の識別表示となる香料又は識別することができる香料により、匂いを付けたものである。
　請求項８に記載の発明の塗料組成物貯蔵容器は、塗料組成物貯蔵容器内の塗料層外又は塗料組成物貯蔵容器外に、塗料供給者又は塗料を塗装する施工者の識別表示となる香料により、匂いを付けたものである。
【発明の効果】
【００１３】
　この発明は、以上のように構成されているため、次のような効果を奏する。
　請求項１に記載の発明の香料入り塗料によれば、匂いにより識別可能であり、また、その匂いが塗料供給者若しくは塗料を塗装する施工者を識別表示となり、又は、塗料塗布物の所有者若しくは利用者が識別することができるものである。
【００１４】
　請求項２に記載の発明の香料入り塗料によれば、匂いにより、塗料供給者が製造若しくは販売したもの又は、塗料を塗装する施工業者を識別することができる。
　請求項３に記載の発明の香料入り塗料によれば、匂いが塗料塗布物の所有者を識別することができるものであり、匂いが塗料塗布物を利用者が識別することができるものである。
【００１５】
　請求項４に記載の発明の香料入り塗料によれば、請求項１ないし請求項３に記載の発明の効果に加え、塗料の不快な匂いの強度が小さく、さらに、塗料の使いやすさ、製造の容易さ、入手の容易さ、塗膜の耐久性が優れているものである。
　請求項５に記載の発明の皮張り防止層によれば、塗料を使用する時には、塗料と混合させ塗装に用いられるものであるため、塗料と香料が混ざり、その香料の匂いにより、塗料供給者が製造若しくは販売したもの又は、塗料を塗装する施工業者が識別することができる。
【００１６】
　請求項６に記載の発明の皮張り防止層によれば、塗料を使用する時には、塗料と混合させ塗装に用いられるものであるため、塗料と香料が混ざり、匂いが塗料塗布物の所有者を識別することができるものであり、その香料の匂いが塗料塗布物を利用者が識別することができるものである。
【００１７】
　請求項７に記載の発明の塗料組成物貯蔵容器によれば、塗料組成物貯蔵容器内に香料を用いて匂いを付け、塗料と混合することで、塗料に匂いを付けることができ、その香料の匂いにより、塗料供給者が製造若しくは販売したもの、塗料を塗装する施工業者を識別することができ又は、その香料の匂いにより、塗料塗布物の所有者若しくは塗料塗布物の利用者が識別することができるものである。
【００１８】
　請求項８に記載の発明の塗料組成物貯蔵容器によれば、塗料組成物貯蔵容器を開封したときに、塗料組成物貯蔵容器の周囲に匂いが広がり、塗料供給者の塗料が近くにあることがわかり、塗料を塗装する施工業者が塗装作業を行うことがわかる。さらに、塗料組成物貯蔵容器外に匂いを付けることにより、塗料供給者の塗料があることがわかり、施工業者が塗装する予定がわかる。
【発明を実施するための最良の形態】
【００１９】
　以下、この発明の実施形態について詳細に説明する。
　香料入り塗料は、塗料に香料を添加させ、塗料に匂いの識別表示機能を備えたものである。
　まず、香料とは、塗料に芳香を与えるものであり、芳香をもち人間の吸気と共に鼻から入って鼻腔に達し快感を与えるものである。
【００２０】
　この香料は、動植物体から抽出した芳香油からなる天然香料と合成香料とに大別され、動植物体から抽出されたものには、動物性香料と植物性香料に分けられる。動物性香料は、数は少ないがムスク、シベット、ビーバー、アンバーグリスが挙げられる。
　植物性香料は、主として顕花植物の花、果実、樹皮又は葉などから得られる芳香油で、多くの種類のものがある。
【００２１】
　また、合成香料には、天然香料からその成分を単離し、分析し、その成分と同じものを合成したものや天然香料には成分として存在しないが、その香気が似ているものを他の原料から合成したものがある。この香料の種類は、特に制限されるものではない。
【００２２】
　このような香料は、香水、石鹸、化粧品などに多く用いられ、菓子、飲料などの食品にも用いられている。
　香料としての代表的なものは、みかんやレモンなどの柑橘系の果物の匂いがするもの、ラベンダー、バラなどの花の匂いがするもの、ヒノキなど木の匂いがするものなど数多く挙げることができる。
【００２３】
　さらに、みかんやレモンなどの柑橘系果物から抽出された芳香油は、発泡スチロールを減容するために用いられることがある。この発泡スチロールの減容に用いられる減容剤も香料として用いることができる。
　また、発泡スチロールを減容した後のポリスチレン溶解物を用いても良い。発泡スチロールを減容した後のポリスチレン溶解物には、香料以外のものも含まれているが、香料としての匂いがなくなることは無い。また、ポリスチレン溶解物を塗料に添加した場合には、塗料中の合成樹脂量が増加し、塗膜の付着性、耐水性などの物性が向上することがある。
【００２４】
　前記ポリスチレン溶解物にアルコール類、炭化水素類のうち１種以上の溶液を用い、その溶液と混合させ、粘性を付与した溶解物もあり、それを用いることも何ら問題はない。
【００２５】
　また、ヒノキの匂いがする香料のうち、ヒノキチオールが知られている。このヒノキチオールは、一般細菌、カビ及び酵母などに優れた抗菌性を示すことから抗菌剤として用いられることがある。このヒノキの匂いがするヒノキチオールを塗料に添加することにより、匂いと同時に塗膜に抗菌性を付与することができる。
【００２６】
　前記ヒノキチオールの例により示したように、香料に匂いを付与すること以外の効果があるものを用いることにより、塗料又は塗料により形成される塗膜に匂い以外の効果を付与することができる。
　前記香料は、１種又は２種以上のものを選択し、用いられる。１種の香料を選択し、特定の匂いを得られる場合以外には、２種以上の香料を選択し、調合することにより、特定の匂いを得ることができる。
【００２７】
　塗料とは、被塗布物に塗布し、その保護及び美化の用をなす流体物である。また、この塗料には、塗料と香料を添加されてない皮張り防止層を形成する皮張り防止剤とを混合した塗料組成物を含むものである。
　塗料には、下塗り用、中塗り用及び上塗り用など複数の塗料を用いるものや１種の塗料により仕上げられるものなどがある。
【００２８】
　塗料への香料の添加方法としては、塗料製造の途中に香料を添加し、塗料に匂いを付ける方法や、塗料製造後に香料を添加し、混合する方法などがある。塗料製造後に香料を添加し、混合する方法は、塗料を塗装する施工者、被塗布物の利用者又は、その所有者の選択する香料又は、匂いに対応しやすく、この方法が好ましく用いられる。
【００２９】
　下塗り用の塗料は、主に中塗り塗料と被塗布物との接着性を向上させることや被塗布物の形状を整えるものとして用いられるものである。中塗り塗料は、被塗布物に凹凸模様などの模様を付けることなどに用いられ、上塗り塗料は、色調を施すために用いられる。また、中塗り塗料に凹凸模様と同時に色調を施す場合には、上塗り塗料に透明なクリヤー塗料を用いることもある。
【００３０】
　１種の塗料により仕上げられる場合には、前記上塗り塗料を用い、被塗布物に色調を施したり、色調と同時に凹凸模様などを付けるものである。
　これら塗料は、必要に応じ選択され用いられる。
【００３１】
　下塗り用、中塗り用、上塗り用の各塗料など複数の塗料を用いて仕上げられる場合には、各塗料の香料を異なるものを用い、異なる匂いを付けることができる。この異なるの匂いにより、塗装の工程を知ることができる。
【００３２】
　被塗布物の塗装終了時に匂いが残ることが好ましくない場合には、複数の塗料で仕上げる方法において、上塗り塗料に香料を添加しないことにより可能となる。この場合は、被塗布物の利用者又は、所有者が匂いによる識別の必要がない場合であり、塗料の塗料供給者又は、塗料を塗装する施工者を識別するときに行われることがある。
【００３３】
　また、被塗布物の塗装終了時にのみに匂いを残るようにする場合には、つまり、被塗布物の利用者又は、所有者が匂いによる識別の必要がある場合には、１種の塗料で仕上げる場合には、その塗料に香料を添加し、匂いを付けることにより行い、複数の塗料で仕上げる場合には、上塗り塗料のみ香料を添加し、匂いを付けることにより行うことができる。
【００３４】
　塗料は、合成樹脂、無機結合材又は合成樹脂と無機結合材を結合材とし、消泡剤、分散剤、湿潤剤などとして用いられる界面活性剤、造膜助剤、防凍剤などとして用いられる高沸点溶剤、粘度、粘性調整のための増粘剤、防腐剤、防藻剤、防黴剤を添加したものである。
　さらに、炭酸カルシウム、水酸化アルミニウム、アルミナ、シリカ、無機繊維、ロックウールなどの充填材や酸化チタンなどの白色顔料、白色以外の色調を付与するための着色顔料、ハロゲン系、リン系、三酸化アンチモン系化合物などの難燃剤を含有するものもある。
【００３５】
　結合材としては、有機系のものと無機質系のものがある。有機系のもでは、合成樹脂などがあり、無機系の水ガラス等の珪酸質系結合材やセメントなどが挙げられる。また、有機系結合材と無機質系の結合材の両方を用いる場合もある。
　合成樹脂は、アクリル樹脂、ウレタン樹脂、エポキシ樹脂、メラミン樹脂、アルキッド樹脂、塩化ビニル樹脂、シリコーン樹脂、酢酸ビニル樹脂、ポリエステル樹脂などの樹脂を共重合したものを水若しくは有機溶媒に溶解させたもの、又はエマルションとして水に分散させたものが挙げられる。
【００３６】
　有機溶媒に合成樹脂を溶解させた塗料は、水に溶解させたものやエマルションとして水に分散させたものと比較して、塗料の不快な匂いの強度が大きいため好ましくない。つまり、合成樹脂を水に溶解させたものやエマルションとして水に分散させたものが好ましく用いられ、さらに、塗料の使いやすさ、製造の容易さ、入手の容易さ、塗膜の耐久性が優れて、無機系の結合材との混和性にも優れているため、合成樹脂を水に分散させた合成樹脂エマルションがより好ましく用いられる。
【００３７】
　前記界面活性剤及び高沸点溶剤は、低臭なものが好ましい。低臭なものを用いることにより、塗料中の不快な匂いを少なくすることができ、特定の匂いをより一層引き立てることができる。
【００３８】
　また、前記塗料には、消臭剤を添加したものが好ましい。消臭剤は、トリポリリン酸ニ水素アルミニウム、トリポリリン酸アルミニウム、アルミナケイ酸塩、活性炭、ゼオライトなどの無機系消臭剤、ピノバンクシン、アロマデンドリン、エンゲリチンなどのフラバノール類からなるフラバノール系消臭剤、ケンフェロール、トリホリン、アストラガリンなどのフラボノール類からなるフラボノール系消臭剤、アビエチン酸、グリオキサール等の有機系消臭剤などがある。消臭剤は、消臭したい対象とするものにより選択することができ、対象とするものが複数ある場合などには、１種又は２種以上用いてもなんら問題はない。
【００３９】
　しかし、香料の匂いを吸着するものは用いることはあまり好ましくないが、吸着した後に、その吸着した香料の匂いを放出するものであればよい。また、塗料の安定性を損なったり、組成物が塗膜になったときの耐水性等の塗膜物性を低下させるものであってはならない。
【００４０】
　塗料組成物貯蔵容器とは、塗料又は塗料と皮張り防止層を作る皮張り防止剤を貯蔵し、塗料が使われる場所まで塗料を変質させない状態にて運ぶことができるようにするものである。この塗料組成物貯蔵容器は、鋼製、プラスチック製の箱状のものやビニール製の袋状のものなど塗料の貯蔵及び搬送に適した形状であり、一般的なもので良い。また、塗料組成物貯蔵容器の大きさは、必要とする塗料が貯蔵することができる大きさであるのものであれば良い。
【００４１】
　この塗料組成物貯蔵容器に匂いを付ける部分は容器の内側と外側に分けることができる。容器の内側は、さらに、塗料及び皮張り防止層の接する部分と接しない部分に分けることができる。
【００４２】
　塗料組成物貯蔵容器の内側の塗料及び皮張り防止層の接する部分に香料を用いて匂いを付ける場合には、塗装前に塗料を撹拌する時に、香料と塗料が混ざり合い塗装される塗料に匂いが付くものであり、塗装後の乾燥塗膜に匂いが残る。塗料及び皮張り防止層の接する部分に香料を用いて匂いを付ける方法としては、塗料組成物貯蔵前の塗料組成物貯蔵容器内の塗料及び皮張り防止層の接する部分に香料を塗り付け又は滴下する方法などがある。特に、この匂いを付ける方法には、任意の方法により行うことができる。
【００４３】
　塗料及び皮張り防止層の接しない部分に香料を用いて匂いを付ける場合には、塗装前に塗料を撹拌する時に、香料と塗料が混ざり合うことがない。そのため、塗装後の乾燥塗膜に匂いが残らないものである。このことにより、塗装終了後の被塗布物の利用者又は所有者を識別することができないものであるため、この目的のためには用いることはできない。
【００４４】
　塗料及び皮張り防止層の接しない部分に香料を用いて匂いを付ける方法としては、塗料又は塗料と皮張り防止層が貯蔵されている塗料組成物貯蔵容器内の塗料及び皮張り防止層の接しない部分に香料を塗り付ける方法や容器の蓋の裏側に香料により匂いを付けたものにより、その蓋を容器にかぶせる方法などが挙げられる。特に、この匂いを付ける方法には、任意の方法により行うことができる。
【００４５】
　塗料組成物貯蔵容器の外側は、外気にさらされる部分である。この容器の外側に香料を用いて匂いを付けることにより、塗料供給者又は塗料を塗装する施工者の識別表示となるものである。これは、塗料組成物貯蔵容器を処分した後には、に匂いが残らないものであり、塗装後の被塗布物の利用者又は所有者を識別するものとはならないものである。
【００４６】
　この塗料組成物貯蔵容器の外側に匂いを付ける方法としては、この容器の外側に香料と塗り付け匂いをつける方法、その容器の蓋の表側に匂いをつけ、その蓋を容器にかぶせる方法又は、塗料組成物の商品の表示ラベルや説明ラベルのラベル類に香料により匂いを染み込ませ匂いを付け、そのラベル類を塗料組成物貯蔵容器に貼りつける方法などがある。特に、この匂いを付ける方法には、任意の方法により行うことができる。
【００４７】
　皮張り防止層とは、主に水系塗料を容器内に貯蔵する場合に、塗料組成物貯蔵容器内の塗料による塗料層の上部が乾燥し、塗料層上部に皮を張ったような乾燥塗膜を形成する場合があり、この塗料層上部に皮を張ったような乾燥塗膜を形成させないようにするためのものであり、塗料を使用する時には、塗料と混合させ塗装に用いられるものである。このため、塗料の粘度などの性状や塗料を塗膜にした場合に、塗膜の物性に影響を与えないものであり、また、塗料への影響を与えない範囲の量であるものである。
【００４８】
　この皮張り防止層は、液体の皮張り防止剤からなるものである。この皮張り防止剤は、水を主成分とし、高沸点溶剤、増粘剤、防腐剤などの一般的に塗料に添加されるものを用いることができる。
　皮張り防止層に匂いをつける方法としては、液体の皮張り防止剤の製造時に香料を添加し、混合する方法や、皮張り防止層を形成させた後に、その皮張り防止層の上面に香料を滴下し、塗装前に塗料と混合され、塗料組成物に匂いを付ける方法がある。
【００４９】
　その皮張り防止層の上面に香料を滴下し、塗装前に塗料と混合され、塗料組成物に匂いを付ける方法は、塗料を塗装する施工者、被塗布物の利用者又は、その所有者の選択する香料又は、匂いに対応しやすく、この方法が好ましく用いられる。
　また、前記皮張り防止剤には、動植物体から抽出した芳香油をそのまま用いることも可能である。芳香油は乾燥性がしにくい油であるため、皮張り防止剤として用いることができ、匂いを付与することもできる。
【００５０】
　さらに、前記発泡スチロールを減容した後の溶解物を用いても良く、特に、前記ポリスチレン溶解物にアルコール類、炭化水素類のうち１種以上の溶液を用い、その溶液と混合したものが好ましい。溶液と混合したものには、適度な粘性があるため、皮張り防止層として形成し易いものである。
【００５１】
　塗料供給者とは、塗料を製造する製造者、製造された塗料を販売する個人又は企業などの団体のことであり、塗料、皮張り防止層、塗料組成物貯蔵容器内、塗料組成物貯蔵容器内の塗料層外又は、塗料組成物貯蔵容器外に香料を選択し、その香料を用いて特定の匂いを付けることができる者である。
【００５２】
　塗料供給者は、１種又は２種以上の特定の香料を任意に選択し、調合することにより、特定の匂いを得る。この特定の香料による特定の匂いが塗料供給者の識別表示となるものである。この塗料供給者の識別表示となるものとは、その特定の匂いにより、塗料供給者が製造又は販売したものが識別することができる。
【００５３】
　塗料又は塗料組成物のような液状で、不定形なもので、さらに、被塗装物に塗布し、塗膜にすることにより性能を発揮するものであるため、塗料又は塗料による塗膜から塗料供給者を識別することが困難である。そのため、塗料に特定の匂いを付けることにより、塗料又は塗料による塗膜から塗料供給者を識別することができる。
　また、皮張り防止層、塗料組成物貯蔵容器内に香料を用いて匂いを付けることにより、この皮張り防止層を塗料に混合することで、塗料組成物又は塗料組成物による塗膜に匂いを付けることができる。
【００５４】
　塗料組成物貯蔵容器内の塗料層外に匂いを付けることにより、塗料組成物貯蔵容器を開封したときに、塗料組成物貯蔵容器の周囲に匂いが広がり、塗料供給者の塗料が近くにあることがわかる。また、塗料組成物貯蔵容器外に匂いを付けた場合には、塗料供給者の塗料があることがわかる。
　このことにより、塗料による塗装作業を行う前に塗料供給者の塗料があることが視覚以外の方法により周囲に知らせることができる。
【００５５】
　塗料を塗装する施工者とは、製造又は販売された塗料を被塗布物に塗装を行う個人又は企業などの団体のことであり、香料を選択し、塗料、皮張り防止層、塗料組成物貯蔵容器内、塗料組成物貯蔵容器内の塗料層外又は、塗料組成物貯蔵容器外にその香料を用いて特定の匂いを付けることができる者又は、塗料供給者に対して、選択した香料若しくは匂いを塗料、皮張り防止層、塗料組成物貯蔵容器内、塗料組成物貯蔵容器内の塗料層外又は、塗料組成物貯蔵容器外付けさせることができる者である。
【００５６】
　塗料を塗装する施工業者は、１種又は２種以上の特定の香料を任意に選択し、調合することにより、特定の匂いを得る。この特定の香料による特定の匂いが塗装する施工業者の識別表示となるものである。この施工業者の識別表示となるものとは、その特定の匂いにより、その施工業者が塗装を行う予定があること、塗装作業中であること又は、塗装作業を行ったものであることが識別することができる。さらに、塗装作業中であることを匂いにより、作業周辺に知らせることができる。
【００５７】
　塗装作業のように現場で施工を行うものは、施工業者を識別表示することが塗料や塗料組成物貯蔵容器での識別することが困難である。そのため、塗料や塗料組成物貯蔵容器に特定の匂いを付けることにより、塗料を塗装する施工業者を識別表示することができる。
　また、皮張り防止層、塗料組成物貯蔵容器内に香料を用いて匂いを付けることにより、この皮張り防止層を塗料に混合することで、塗料組成物に匂いを付けることができる。
【００５８】
　塗料組成物貯蔵容器内の塗料層外に匂いを付けることにより、塗料組成物貯蔵容器を開封したときに、塗料組成物貯蔵容器の周囲に匂いが広がり、塗料を塗装する施工業者が塗装作業を行うことがわかる。また、塗料組成物貯蔵容器外に匂いを付けた場合には、施工業者が塗装する予定がわかる。
　このことにより、塗装作業を行う予定があること又は塗装作業中であることが視覚以外の方法により周囲に知らせることができる。
【００５９】
　塗料塗布物の所有者とは、塗料塗布物を所有している個人又は団体のことであり、香料若しくは匂いを選択し、塗料供給者又は塗料を塗装する施工業者に塗料、皮張り防止層、塗料組成物貯蔵容器内、塗料組成物貯蔵容器内の塗料層外又は、塗料組成物貯蔵容器外付けさせることができる者である。
　塗料塗布物の所有者とは、塗料供給者若しくは塗料を塗装する施工業者に、１種又は２種以上の特定の香料を任意に選択し、特定の匂いを調合させることができる。
【００６０】
　この特定の香料による特定の匂いが塗料塗布物の所有者を識別することができるものである。この塗料塗布物の所有者を識別することができるものとは、その特定の匂いにより、その塗料塗布物が特定の所有者であることがわかることである。また、塗装を行ったものであることがその匂いの特定の所有者であることを識別することがでものである。さらに、塗装中であるものが、この匂いにより、特定の所有者であることがわかる。
　このことにより、塗料塗布物の所有者が視覚以外の方法により周囲に知らせることができる。
【００６１】
　塗料塗布物の利用者とは、塗料塗布物を利用する又は、利用したい個人又は団体のことであり、香料若しくは匂いを選択し、塗料供給者、塗料を塗装する施工業者又は塗料塗布物の所有者に塗料、皮張り防止層、塗料組成物貯蔵容器内、塗料組成物貯蔵容器内の塗料層外又は、塗料組成物貯蔵容器外付けさせることができる者である。
　塗料塗布物の利用者は、塗料塗布物の所有者に対して、特定の香料又は匂いを指定し、塗料供給者、塗料を塗装する施工業者に、１種又は２種以上の特定の香料を任意に選択し、特定の匂いを調合させることができる。
【００６２】
　この特定の香料による特定の匂いが塗料塗布物を利用者が識別することができるものである。この塗料塗布物を利用者が識別することができるものとは、その特定の匂いにより、その塗料塗布物を利用者が利用したいものであることがわかるものである。また、塗装を行ったものであることがその匂いにより、利用したいものであることを識別することがでものである。さらに、塗装中であるものが、この匂いにより、利用したいものであることがわかる。
　このことにより、塗料塗布物の利用者が視覚以外の方法により周囲に知らせることができる。
【００６３】
　次に、前記のように構成された香料入り塗料及び皮張り防止層並びに塗料組成物貯蔵容器の作用を説明する。
　まず、塗料組成物貯蔵容器の表側に香料を用いて匂いを付ける。この香料は、塗料製造者である塗料供給者が選択した青りんごの匂いである。この青りんごは、塗料製造者のマークとして使われているものである。
【００６４】
　塗料組成物貯蔵容器の表側に香料を用いて匂いを付ける方法として、商品の識別のために用いられる紙製のラベルに香料を染み込ませ、そのラベルを塗料組成物貯蔵容器の表側の１側面に貼りつけた。
　この塗装作業は、１種の塗料により色調を施す作業である。塗装作業を行う現場に塗料搬入直後から周囲に青りんごの匂いが広がり、前記製造者が製造した塗料が周辺にあることを知らせることができ、同時に、その塗料により、塗装作業が行われることが周囲に知らせることができた。また、塗装終了時には、塗料組成物貯蔵容器を処分するため、周囲に匂いは、残らなかった。
【００６５】
　皮張り防止層となる皮張り防止剤に香料を用いて匂いを付けた。この塗装作業は、下塗り用、中塗り用及び上塗り用の３種類の塗料又は塗料組成物により、行われた。塗装される被塗布物の所有者は、塗装終了後に匂いが残ることを望まないため、上塗り塗料には、香料を添加しないものを用いた。下塗り塗料の皮張り防止層には、塗料を塗装する施工者が選択したみかんの匂いのする香料を添加した。このみかんの匂いは、前記施工者の作業服がオレンジ色のものであり、みかんを連想させるものであった。中塗り塗料の皮張り防止層には、みかんと同じ柑橘系のレモンの香料を選択し、添加した。下塗り塗料及び中塗り塗料は、各皮張り防止層と混合し、匂いの付いた塗料組成物を得ることができた。
【００６６】
　各香料の添加量は、塗料の重量に対して、０．２重量％の量を皮張り防止剤に添加した。
　塗装作業を始める前に、塗料組成物貯蔵容器の蓋を開けると作業を行う周囲にみかんの匂いが広がり、前記施工者が塗装作業を始めることを周囲に知らすことができた。また、下塗り塗料組成物の塗装作業を終了しても塗布物の周囲には、みかんの匂いがあることにより、塗料が未硬化未乾燥である可能性があり、塗布物を触ることに注意をさせることができる。
【００６７】
　次に、中塗り塗料の塗料組成物貯蔵容器の蓋を開けると作業を行う周囲にレモンの匂いが広がり、中塗り塗料の塗装工程に移ったことを周囲に知らすことができた。また、下塗り塗料と同様に、中塗り塗料の塗装作業終了しても塗布物の周囲には、レモンの匂いがあることにより、塗料が未硬化未乾燥である可能性があり、塗布物を触ることに注意をさせることができる。
【００６８】
　さらに、香料を添加しない上塗り塗料の塗装を行う。塗装が進むに従って、中塗り塗料のレモンの匂いが少なくなり、一般的な塗料の不快な匂いが周囲に広がり、上塗り塗料が乾燥後には、匂いのあまりしない、塗装物が得られ、塗装が終了したことが周囲に知らせることができる。
【００６９】
　１種の塗料で仕上げる場合、塗料に香料を添加して匂いを付けた。この匂いは、塗料塗布物の所有者が選択したイチゴの匂いである。この所有者は、町である。この町は、イチゴの生産が盛んであることにより、このイチゴの匂いを選択した。この匂いと町のイメージが合い、塗料塗布物を利用する利用者は、イチゴの匂いがついている塗料塗布物が町のものであることがわかり、それを識別することができる。
【００７０】
　香料の添加量は、塗料の重量に対して、０．５重量％の香料を塗料に添加した。　
　この場合、塗装作業中に塗料からのイチゴの匂いにより、被塗布物が町のものであることを周囲に知らせることができる。また、塗装作業終了後にも相当期間に塗料により形成された塗膜からイチゴの匂いがし、周囲に塗装されたものが町のものであることを周囲に知らせることができる。
【００７１】
　以上のように、この実施形態によれば次のような効果が発揮される。
　・　塗料に香料を添加させ、塗料に匂いの識別表示機能を備えたものであることにより、匂いにより識別可能であり、また、その匂いが塗料供給者若しくは塗料を塗装する施工者を識別表示となり、又は、塗料塗布物の所有者若しくは利用者が識別することができるものである。
【００７２】
　・　前記香料が塗料供給者又は塗料を塗装する施工者の識別表示となるものであることにより、匂いにより、塗料供給者が製造若しくは販売したもの又は、塗料を塗装する施工業者を識別することができる。
　・　前記香料が塗料塗布物の所有者又は利用者が識別することができるものであることにより、匂いが塗料塗布物の所有者を識別することができるものであり、匂いが塗料塗布物を利用者が識別することができるものである。
【００７３】
　・　前記塗料が合成樹脂エマルションを結合材とするものであることにより、
塗料の不快な匂いの強度が小さく、さらに、塗料の使いやすさ、製造の容易さ、入手の容易さ、塗膜の耐久性が優れているものである。
　・　塗料組成物貯蔵容器内に容器下部から塗料主材層と、皮張り防止層とが積層されている塗料組成物貯蔵容器において、その皮張り防止層が塗料供給者又は塗料を塗装する施工業者の識別表示となる香料を含むものであることにより、塗料を使用する時には、塗料と混合させ塗装に用いられるものであるため、塗料と香料が混ざり、その香料の匂いにより、塗料供給者が製造若しくは販売したもの又は、塗料を塗装する施工業者が識別することができる。
【００７４】
　・　塗料組成物貯蔵容器内に容器下部から塗料主材層と、皮張り防止層とが積層されている塗料組成物貯蔵容器において、その皮張り防止層が塗料塗布物の所有者又は利用者が識別できる香料を含むものであることにより、塗料を使用する時には、塗料と混合させ塗装に用いられるものであるため、塗料と香料が混ざり、匂いが塗料塗布物の所有者を識別することができるものであり、その香料の匂いが塗料塗布物を利用者が識別することができるものである。
【００７５】
　・　塗料組成物貯蔵容器内に塗料供給者、塗料を塗装する施工業者、塗料塗布物の所有者又は利用者の識別表示となる香料又は識別することができる香料により、匂いを付けたものであることにより、塗料組成物貯蔵容器内に香料を用いて匂いを付け、塗料と混合することで、塗料に匂いを付けることができ、その香料の匂いにより、塗料供給者が製造若しくは販売したもの、塗料を塗装する施工業者を識別することができ又は、その香料の匂いにより、塗料塗布物の所有者若しくは塗料塗布物の利用者が識別することができるものである。
【００７６】
　・　塗料組成物貯蔵容器内の塗料層外又は塗料組成物貯蔵容器外に、塗料供給者又は塗料を塗装する施工者の識別表示となる香料により、匂いを付けたものであることにより、塗料組成物貯蔵容器を開封したときに、塗料組成物貯蔵容器の周囲に匂いが広がり、塗料供給者の塗料が近くにあることがわかり、塗料を塗装する施工業者が塗装作業を行うことがわかる。さらに、塗料組成物貯蔵容器外に匂いを付けることにより、塗料供給者の塗料があることがわかり、施工業者が塗装する予定がわかる。
【００７７】
　次に、前記実施形態から把握できる技術的思想について以下に記載する。
　・　複数の塗料組成物を用いて仕上げられる場合において、各塗料組成物の香料を異なるものを用い、異なる匂いを付けることを特徴とする塗料組成物
　このことにより、塗装の工程を匂いにより知ることができるものである。
【００７８】
　・　複数の塗料組成物で仕上げる方法において、上塗り塗料組成物のみに香料を添加しないことを特徴とする塗料組成物。
　このことにより、被塗布物の塗装終了時に匂いが残ることがないものである。
　・　複数の塗料組成物で仕上げる方法において、上塗り塗料組成物のみに香料を添加することを特徴とする塗料組成物。
　このことにより、塗装終了後に匂いを残るようにすることができるものである。
　・　前記香料が発泡スチロールを減容した後のポリスチレン溶解物であることを特徴とする請求項１ないし請求項４のいずれかに記載の香料入り塗料。
　このことにより、塗料中の合成樹脂量が増加し、塗膜の付着性、耐水性などの物性が向上することがある。
【００７９】
　・　前記香料が香料に匂いを付与すること以外の効果があるものを用いることを特徴とする請求項１ないし請求項４のいずれかに記載の香料入り塗料。
　このことにより、塗料又は塗料により形成される塗膜に匂い以外の効果を付与することができる。
【００８０】
　・　前記皮張り防止剤が動植物体から抽出した芳香油又は、発泡スチロールを減容した後の溶解物であることを特徴とする請求項５又は請求項６の皮張り防止層。
　このことにより、芳香油は乾燥性がしにくく、匂いを付与することもできる。
【００８１】
　・　前記皮張り防止剤がポリスチレン溶解物にアルコール類、炭化水素類のうち１種以上の溶液を用い、その溶液と混合したものであることを特徴とする請求項５又は請求項６の皮張り防止層。
　このことにより、適度な粘性があるため、皮張り防止層として形成し易いものである。